(57)【要約】【課題】低照度下で撮像を行う場合に、可視光成分と赤外線成分との合成比率を調整可能な赤外線照射式撮像装置を提供する。【解決手段】赤外線混合撮像装置において、赤外線照射撮像条件によって撮像を行う場合に、赤外線カットフィルタを光路上に挿入する可視光撮像条件によって生成される撮像信号の色毎にホワイトバランスを処理し、ホワイトバランス撮像信号を生成する。赤外線照射撮像条件にて生成される撮像信号を可視光成分撮像信号と赤外線成分撮像信号とに分離し、可視光成分撮像信号から可視光輝度信号とクロマ画像信号とを生成し、赤外線成分撮像信号から赤外線輝度信号を生成する。そして、可視光輝度信号と赤外線輝度信号との合成比率を調整して、輝度画像信号を生成する。【選択図】図１
2010161459.tif 000002
【特許請求の範囲】
【請求項１】
被写体に対して赤外線を点滅照射する赤外線照射手段と、
前記被写体を結像して光学像を生成する光学手段と、
前記光学手段の光路上に対して進退可能な構造であって、前記光学像に含まれる赤外線を遮断して、可視光から成る前記光学像を生成するための赤外線カットフィルタと、
前記被写体に前記赤外線を照射させないで前記光路上に対して前記赤外線カットフィルタを挿入させる可視光撮像条件と、前記被写体に前記赤外線を前記点滅照射させて前記光路上に対して前記赤外線カットフィルタを退出させる赤外線照射撮像条件と、を夫々制御する赤外線照射制御手段と、
前記光学像を光電変換して色毎に撮像信号を生成する撮像手段と、
前記可視光撮像条件にて生成される前記撮像信号の前記色毎にホワイトバランスを処理し、ホワイトバランス撮像信号を生成するホワイトバランス処理手段と、
前記撮像条件別に入力される前記撮像信号を分析して、該分析結果に基づいて前記赤外線照射撮像条件にて生成される前記撮像信号を可視光成分撮像信号と、赤外線成分撮像信号と、に分離する赤外線成分分離手段と、
前記可視光成分撮像信号の前記色毎の平面位相を同位相にリサンプリングし、マトリクス演算して輝度信号とクロマ信号とを生成し、該クロマ信号に対して前記ホワイトバランス撮像信号に基づいて色調整を施して色調クロマ信号を生成し、該輝度信号と該色調クロマ信号とに増幅処理を含む画像処理を施して可視光輝度信号とクロマ画像信号とを生成する可視光画像処理手段と、
前記赤外線成分撮像信号に画像処理を施して赤外線輝度信号を生成する赤外線画像処理手段と、
前記可視光輝度信号と前記赤外線輝度信号とを合成して輝度画像信号を生成する輝度画像合成手段と、
前記可視光輝度信号と前記赤外線輝度信号との合成比率を調整操作する合成比率調整操作手段と、
を具備する
ことを特徴とする赤外線照射式撮像装置。
【請求項２】
前記合成比率調整操作手段は、前記赤外線照射制御手段に対して前記赤外線の照射量を設定し、
前記赤外線照射制御手段は、前記赤外線照射量の設定に基づいて、前記赤外線照射手段に対して前記点滅照射のＰＷＭ制御をする
ことを特徴とする請求項１に記載の赤外線照射式撮像装置。
【請求項３】
前記合成比率調整操作手段は、前記可視光画像処理手段に対して前記増幅処理の最大増幅率の制限を設定し、
前記可視光画像処理手段は、前記最大増幅率の制限の設定に基づいて前記増幅処理が施される
ことを特徴とする請求項２に記載の赤外線照射式撮像装置。
【請求項４】
前記合成比率調整操作手段は、
少なくとも、明るさ優先モードと、色再現優先モードと、ＳＮ比優先モードと、から成る複数のモード
を有し、
前記複数のモードから１つのモードを選択可能なものであって、
前記色再現優先モードが選択されて操作された場合には、
少なくとも前記照射量の設定に基づいて前記ＰＷＭ制御が為され、
前記ＳＮ比優先モードが選択されて操作された場合には、
少なくとも前記最大増幅率の制限に基づいて前記増幅処理が為される
ことを特徴とする請求項３に記載の赤外線照射式撮像装置。
【請求項５】
前記合成比率調整操作手段は、前記モードの選択が為された後、該モード選択とは別の操作にて前記合成比率の微調整が可能である
ことを特徴とする請求項４に記載の赤外線照射式撮像装置。
【請求項６】
前記輝度画像合成手段は、前記合成比率に基づいて前記赤外線輝度信号をアッテネートさせる
ことを特徴とする請求項１に記載の赤外線照射式撮像装置。
【請求項７】
前記点滅照射の該点滅周波数は、前記撮像手段の露光時間に対して少なくとも４周期以上点滅する周波数である
ことを特徴とする請求項１に記載の赤外線照射式撮像装置。
【発明の詳細な説明】
【技術分野】
【０００１】
本発明は、低照度下の被写体に対して、赤外線を照射して撮像が可能である赤外線照射式撮像装置に関するものである。
【背景技術】
【０００２】
ＣＣＤやＭＯＳ型センサ等の撮像素子（イメージセンサ）の分光感度特性は、人間の目と異なり、可視光成分だけでなく赤外線成分に対しても感度を有しているため、デジタルスチルカメラ、ムービーカメラ、医療用カメラ等の撮像装置では、この撮像素子の前面に赤外線カットフィルタを配置して可視光のみを受光するようにしている。
【０００３】
このような撮像装置では、赤外線カットフィルタを外して赤外線成分も受光するようにすれば、撮像素子に入射する光量が増大し、低照度下においても被写体を明るく撮像することが可能となる。しかしながら、赤外線の波長は人間の目で感知できない波長領域にあって、赤外線には本来の色情報がないので、赤外線成分を含んだ撮像画像はホワイトバランスが著しく劣化してしまう。そのために、通常の赤外線照射式撮像装置では、赤外線成分を含んだ撮像信号は輝度信号として扱われて、モノクロ画像が生成される。
【０００４】
近年、このような撮像装置を用いて、モノクロ画像ではなく実際の見た目に近いカラー画像を生成できるようにすることが市場から要求されている。
【０００５】
特許文献１には、赤外線カットフィルタが外部位置に配置されている場合には（ナイトショット撮影時には）、赤外成分を考慮した黒体カーブデータＬＢが読み出されて黒体カーブ制御が行われる。或いは、映像信号Ｒ，Ｇ，Ｂの比が１になるようにグレーワールド制御が行われる。これにより、撮影状況に応じて、最適なホワイトバランス制御が行われるとの記載がある。
【特許文献１】特開２００５−１３０３１７号公報
【発明の開示】
【発明が解決しようとする課題】
【０００６】
しかしながら、特許文献１に記載の撮像装置および方法に関する技術は、撮像画像の可視光成分と赤外線成分との合成比率を調整することができないという課題がある。何故ならば、前者の赤外成分を考慮した黒体カーブデータＬＢによる黒体カーブ制御、及び、後者のグレーワールド制御は、いずれも可視光成分と赤外線成分との混合光に対するホワイトバランス制御であるからである。
【０００７】
したがって、本発明は、前述した課題に鑑みてなされたものであって、低照度下の被写体に対して赤外線を照射して撮像する場合に於いて、可視光成分と赤外線成分との合成比率を調整、及び／または、選択して撮像することで、ユーザの所望する画質により近い撮像画像が得られる赤外線照射式撮像装置を提供することを目的とする。
【課題を解決するための手段】
【０００８】
赤外線照射式撮像装置において、被写体に対して赤外線を点滅照射する赤外線照射手段と、被写体を結像して光学像を生成する光学手段と、光学手段の光路上に対して進退可能な構造であって、光学像に含まれる赤外線を遮断して、可視光から成る光学像を生成するための赤外線カットフィルタと、被写体に赤外線を照射させないで光路上に対し赤外線カットフィルタを挿入させる可視光撮像条件と、被写体に赤外線を点滅照射させて光路上に対して赤外線カットフィルタを退出させる赤外線照射撮像条件と、を夫々制御する赤外線照射制御手段と、光学像を光電変換して色毎に撮像信号を生成する撮像手段と、可視光撮像条件にて生成される撮像信号の色毎にホワイトバランスを処理し、ホワイトバランス撮像信号を生成するホワイトバランス処理手段と、撮像条件別に入力される撮像信号を分析して、分析結果に基づいて赤外線照射撮像条件にて生成される撮像信号を可視光成分撮像信号と、赤外線成分撮像信号と、に分離する赤外線成分分離手段と、可視光成分撮像信号の色毎の平面位相を同位相にリサンプリングし、マトリクス演算して輝度信号とクロマ信号とを生成し、クロマ信号に対してホワイトバランス撮像信号に基づいて色調整を施して色調クロマ信号を生成し、輝度信号と色調クロマ信号とに増幅処理を含む画像処理を施して可視光輝度信号とクロマ画像信号とを生成する可視光画像処理手段と、赤外線成分撮像信号に画像処理を施して赤外線輝度信号を生成する赤外線画像処理手段と、可視光輝度信号と赤外線輝度信号とを合成して輝度画像信号を生成する輝度画像合成手段と、可視光輝度信号と赤外線輝度信号との合成比率を調整操作する合成比率調整操作手段と、を具備する。
【発明の効果】
【０００９】
本発明によれば、低照度下の被写体に対して赤外線を照射して撮像する場合に於いて、可視光成分と赤外線成分との合成比率をユーザが調整、及び／または、選択して撮像することで、ユーザの所望する画質により近い撮像画像が得られる効果がある。
【発明を実施するための最良の形態】
【００１０】
以下、図面を参照して本発明の実施形態について説明する。
【００１１】
図１は、本発明による赤外線照射式撮像装置の構成を示すブロック図である。
【００１２】
図１に於いて、この赤外線照射式撮像装置は、赤外線発光ダイオード（赤外線照射手段）１と、レンズ（光学手段）２と、赤外線カットフィルタ３と、赤外線照射制御部（赤外線照射制御手段）４と、イメージセンサ（撮像手段）５と、ホワイトバランス処理部（ホワイトバランス処理手段）６と、赤外線成分分離部（赤外線成分分離手段）７と、可視光画像処理部（可視光画像処理手段）８と、赤外線画像処理部（赤外線画像処理手段）９と、輝度画像合成器（輝度画像合成手段）１０と、合成比率調整操作部（合成比率調整操作手段）１１と、より構成されている。
【００１３】
赤外線発光ダイオード１は、被写体１２に対して赤外線を点滅照射するものである。この点滅の周波数（Ｈｚ）は、イメージセンサ５の露光期間に対して少なくとも４周期以上点滅する周波数であることが好ましい。
【００１４】
何故ならば、仮に、この点滅周波数（Ｈｚ）がイメージセンサ５の露光期間に対して４周期未満である低周波であった場合には、可視光成分と赤外線成分とで被写体１２のブレ、及び、キレが１フレームの中で異なって撮像されることが目立ってしまって、画質的に不自然な撮像画像になってしまうからである。尚、この赤外線発光ダイオード１の替わりに、高速点滅が可能で、より赤外線の放射量が大きい赤外線放射素子を用いても良い。
【００１５】
レンズ２は、被写体１２を結像して光学像を生成するものである。赤外線カットフィルタ３は、このレンズ２の光路上に対して進退可能な構造であって、光学像に含まれる赤外線を遮断して、可視光から成る光学像を生成するものである。
【００１６】
赤外線照射制御部４は、被写体１２に赤外線を照射させないで光路上に対して赤外線カットフィルタ３を挿入させる可視光撮像条件と、被写体１２に赤外線を照射させて光路上に対して赤外線カットフィルタ３を退出させる赤外線照射撮像条件と、を夫々制御するものである。
【００１７】
イメージセンサ５は、光学像を光電変換してＲＧＢ各色毎に撮像信号ＲＧＢｘｙ、または、撮像信号ＲＧＢＡｘｙを生成するものである。ホワイトバランス処理部６は、可視光撮像条件にて生成される撮像信号ＲＧＢｘｙのＲＧＢ各色毎にホワイトバランスを処理し、ホワイトバランス撮像信号ｗＲＧＢｘｙを生成するものである。
【００１８】
赤外線成分分離部７は、前述した撮像信号ＲＧＢｘｙ、及び、撮像信号ＲＧＢＡｘｙを分析して、この分析結果に基づいて赤外線照射撮像条件にて生成される撮像信号ＲＧＢＡｘｙを可視光成分撮像信号［ＲＧＢｘｙ］と、赤外線成分撮像信号［Ａｘｙ］と、に分離するものである。
【００１９】
可視光画像処理部８は、可視光成分撮像信号［ＲＧＢｘｙ］のＲＧＢ各色毎の平面位相ｘｙを同位相ｘｙにリサンプリングし、マトリクス演算して輝度信号Ｂｘｙとクロマ信号Ｔｘｙとを生成し、このクロマ信号Ｔｘｙに対してホワイトバランス撮像信号ｗＲＧＢｘｙに基づいて色調整を施して色調クロマ信号Ｃｘｙを生成するものである。
【００２０】
また、可視光画像処理部８は、この輝度信号Ｂｘｙと色調クロマ信号Ｃｘｙとに増幅（ＧＡＩＮ）処理を含む画像処理を施して可視光輝度信号Ｙｘｙとクロマ画像信号（Ｃｂ，Ｃｒ）ｘｙとを生成するものである。
【００２１】
尚、このクロマ画像信号（Ｃｂ，Ｃｒ）ｘｙは、ＨＤＴＶ用の色差信号（Ｐｂ，Ｐｒ）ｘｙに置き換えられたとしても良い。
【００２２】
ここで、一般的な輝度信号Ｙと、クロマ信号（Ｃｂ，Ｃｒ）と、のマトリクス演算式について示せば、
Ｙ＝０．２９９＊Ｒ＋０．５８７＊Ｇ＋０．１１４＊Ｂ
Ｃｂ＝０．５６４＊（Ｂ−Ｙ）＝−０．１６９＊Ｒ−０．３３１＊Ｇ＋０．５００＊Ｂ
Ｃｒ＝０．７１３＊（Ｒ−Ｙ）＝０．５００＊Ｒ−０．４１９＊Ｇ−０．０８１＊Ｂ
である。
【００２３】
また、ＨＤＴＶ用の一般的な輝度信号Ｙと、色差信号（Ｐｂ，Ｐｒ）と、のマトリクス演算式について示せば、
Ｙ＝０．２１２６＊Ｒ＋０．７１５２＊Ｇ＋０．０７２２＊Ｂ
Ｐｂ＝−０．１１４６＊Ｒ−０．３８５４＊Ｇ＋０．５０００＊Ｂ
Ｐｒ＝０．５０００＊Ｒ−０．４５４２＊Ｇ−０．０４５８＊Ｂ
である。
【００２４】
尚、本実施形態に於けるマトリクス演算式は、リサンプリングと同時に演算されても良く、必ずしも前述した演算式に限られるものではない。
【００２５】
赤外線画像処理部９は、赤外線成分撮像信号［Ａｘｙ］に画像処理を施して赤外線輝度信号Ａｘｙを生成するものである。輝度画像合成器１０は、可視光輝度信号Ｙｘｙと赤外線輝度信号Ａｘｙとを合成して輝度画像信号Ｙ’ｘｙを生成するものである。
【００２６】
合成比率調整操作部１１は、可視光輝度信号Ｙｘｙと赤外線輝度信号Ａｘｙとの合成比率Ｙ：Ａを調整操作するものであって、この合成比率Ｙ：Ａに基づいて、赤外線照射制御部４に対して赤外線の照射量を設定するものである。この赤外線照射量の設定に基づいて、赤外線照射制御部４によって赤外線発光ダイオード１に対する点滅照射のためのＰＷＭ制御が為されるのである。
【００２７】
また、この合成比率Ｙ：Ａに基づいて赤外線輝度信号Ａｘｙを演算によってアッテネートさせるように輝度画像合成器１０に対して制御するようにしても良い。または、前述した赤外線照射量の設定と、このアッテネートとを合わせて合成比率Ｙ：Ａを形成するようにしても良い。
【００２８】
この合成比率調整操作部１１は、合成比率Ｙ：Ａに基づいて、可視光画像処理部８の増幅処理に対して、最大増幅率ＭＡＸ−ＧＡＩＮ（ｄＢ）の制限を設定するものである。この最大増幅率ＭＡＸ−ＧＡＩＮ（ｄＢ）の制限の設定に基づいて、可視光画像処理部８によって増幅処理が施されるのである。
【００２９】
更に、合成比率調整操作部１１は、複数のモードを有するものであって、任意のモードを選択することで合成比率Ｙ：Ａが選択されるものである。また、このモード選択が為された後、合成比率の微調整が可能であっても良い。
【００３０】
図２は、本実施形態による合成比率調整操作部１１の概要を示すグラフである。
【００３１】
図２に於いて、この合成比率調整操作部１１は、明るさ優先モードと、色再現優先モードと、ＳＮ比優先モードと、を有することが示されている。
【００３２】
図２に於いて、このグラフは、色再現優先モードが選択操作された場合には、合成比率Ｙ：ＡのＡの比率を下げるように赤外線照射量が設定され、この設定に基づいてＰＷＭ制御が為され、赤外線輝度信号Ａの信号レベルが小さくなるように調整されることが示されている。
【００３３】
このように、色再現優先モードが選択されると、明るさ優先モード時の輝度画像信号Ｙ’と比較して、色再現優先モード時の輝度画像信号Ｙ１’の方が信号レベルが下がってしまうのであるが、その代わりに色情報を有さない赤外線輝度信号Ａの信号レベルがＡ１に示されるように少なくなるので、その少なくなった分だけ色の再現性が向上するのである。
【００３４】
または、図２に於いて、ＳＮ比優先モードが選択操作された場合には、合成比率Ｙ：ＡのＹの比率を下げるように最大増幅率ＭＡＸ−ＧＡＩＮ（ｄＢ）の制限が設定（下方修正）され、この設定に基づいて増幅処理（ＧＡＩＮ）が為され、可視光輝度信号Ｙの信号レベルがＹ２に示されるように小さくなるように調整されることが示されている。
【００３５】
このように、ＳＮ比優先モードが選択されると、明るさ優先モード時の輝度画像信号Ｙ’と比較して、ＳＮ比優先モード時の輝度画像信号Ｙ２’の方が信号レベルが下がってしまうのであるが、その代わりに可視光輝度信号Ｙの増幅処理で増加するノイズレベルも下がるので、そのノイズレベルが下がった分だけＳＮ比が向上するのである。
【００３６】
図３は、低照度下の白色被写体１２を可視光撮像条件にて撮像した、標準ゲインに於ける撮像信号レベルの一例を示すグラフである。
【００３７】
図３に於いて、このグラフは、可視光画像処理部８に於いて未だ増幅処理が為されていない標準ゲイン（ＧＡＩＮ＝０ｄＢ）状態についての撮像信号レベルが示されている。そのために、この撮像信号は未だ最低被写体照度の信号レベルに至っていないことが示されている。
【００３８】
図４は、図３で示した可視光撮像条件時の撮像信号レベルに対して増幅処理を施した一例を示すグラフである。
【００３９】
このグラフは、図３で示された可視光撮像条件時の撮像信号に対して可視光画像処理部８にて増幅処理（ＧＡＩＮ＝１２ｄＢ）を施した一例が示されている。ここで、一般的な増幅処理については、ＲＧＢ信号に対してホワイトバランスを施した後、マトリクス演算にてこのＲＧＢ信号からＹＣ信号へと変換してから為されるのが通常であるのだが、図２で示された各優先モードについての具体的な説明をしていくために、図４〜図１０に於いては、増幅処理されたＹＣ信号についてＲＧＢ各色毎に換算したとして示していく。
【００４０】
図４に示されるように、この一例に於いては、撮像信号に増幅処理（ＧＡＩＮ＝１２ｄＢ）を施しているにも関わらず、未だ最低被写体照度の信号レベルには至っていない。
【００４１】
図５は、低照度下の白色被写体１２を赤外線照射撮像条件、明るさ優先モードにて撮像した撮像信号レベルの一例を示すグラフである。
【００４２】
図５に於いて、このグラフは、低照度下の被写体１２が撮像されているにも関わらず、赤外線照射撮像条件での撮像によって、最低被写体照度の信号レベルを満たしていることが示されている。図５に示されるように、斜線部が可視光成分であり、白枠部が赤外線成分である。
【００４３】
また、図５は、明るさ優先モードによる撮像であるので、図２に於いて既に示されたように、その合成比率はＹ：Ａであって、可視光成分Ｙ（図５に於いては、Ｒ’，Ｇ，Ｂ’に換算して示されている）については増幅処理（ＧＡＩＮ＝１２ｄＢ）が為され、赤外線成分ＡについてはＰＷＭ制御にて最大赤外線照射量が設定されているのである。
【００４４】
図６は、図５で示された撮像信号が可視光成分撮像信号と赤外線成分撮像信号とに分離され、更にホワイトバランス撮像信号に基づいて色調整が施された一例を示すグラフである。
【００４５】
図６に示されるように、この明るさ優先モードは、低照度下の被写体１２を明るく撮像することを優先するモードである。
【００４６】
図７は、低照度下の白色被写体１２を赤外線照射撮像条件、色再現優先モードにて撮像した撮像信号レベルの一例を示すグラフである。
【００４７】
図７に於いて、このグラフは、低照度下の被写体１２が撮像されているにも関わらず、赤外線照射撮像条件での撮像によって、最低被写体照度の信号レベルを満たしていることが示されている。図７に示されるように、斜線部が可視光成分であり、白枠部が赤外線成分である。
【００４８】
また、図７は、色再現優先モードによる撮像であるので、図２に於いて既に示されたように、その合成比率はＹ：Ａ１であって、可視光成分Ｙ（図７に於いては、Ｒ’，Ｇ，Ｂ’に換算して示されている）については増幅処理（ＧＡＩＮ＝１２ｄＢ）が為され、赤外線成分Ａ１についてはＰＷＭ制御にて赤外線照射量が少なくなるように設定されているのである。
【００４９】
図８は、図７で示された撮像信号が可視光成分撮像信号と赤外線成分撮像信号とに分離され、更にホワイトバランス撮像信号に基づいて色調整が施された一例を示すグラフである。
【００５０】
図８に示されるように、この色再現優先モードは、本来の色情報を有さない赤外線成分Ａの比率を下げることで、色再現性が重視されて撮像されるモードである。ここで、図６で示されたグラフと、図８のグラフとを比較してみれば、赤外線成分Ａの信号レベルが異なっており、可視光成分Ｙ（図６、及び、図８に於いては、Ｒ’，Ｇ，Ｂ’に換算して示されている）の信号レベルは略一致していることが示されている。
【００５１】
図９は、低照度下の白色被写体１２を赤外線照射撮像条件、ＳＮ比優先モードにて撮像した撮像信号レベルの一例を示すグラフである。
【００５２】
図９に於いて、このグラフは、低照度下の被写体１２が撮像されているにも関わらず、赤外線照射撮像条件での撮像によって、最低被写体照度の信号レベルを満たしていることが示されている。図９に示されるように、斜線部が可視光成分であり、白枠部が赤外線成分である。
【００５３】
また、この図９は、ＳＮ比優先モードによる撮像であるので、図２に於いて既に示されたように、その合成比率はＹ２：Ａであって、可視光成分Ｙ２（図９に於いては、Ｒ’，Ｇ，Ｂ’に換算して示されている）については最大増幅率ＭＡＸ−ＧＡＩＮ（ｄＢ）の制限が設定されていることが示されている。
【００５４】
ここで、図９に於いては、一例として、ＭＡＸ−ＧＡＩＮが６（ｄＢ）に制限されていることが示されているのである。また、赤外線成分ＡについてはＰＷＭ制御にて最大赤外線照射量が設定されていることが示されている。
【００５５】
図１０は、図９で示された撮像信号が可視光成分撮像信号と赤外線成分撮像信号とに分離され、更にホワイトバランス撮像信号に基づいて色調整が施された一例を示すグラフである。
【００５６】
図１０に示されるように、このＳＮ比優先モードは、可視光成分Ｙ（図１０に於いては、Ｒ’，Ｇ，Ｂ’に換算して示されている）の最大増幅率を下げることで、増幅処理にて増幅されるノイズレベルが抑制されるモードである。
【００５７】
前述してきたように、本発明の実施形態による赤外線照射式撮像装置は、低照度下の被写体１２に対して赤外線を照射して撮像する場合に於いて、可視光成分Ｙと赤外線成分Ａとの合成比率Ｙ：Ａについて、ユーザが調整、及び／または、選択して撮像することで、ユーザの所望する画質により近い撮像画像が得られる赤外線照射式撮像装置を提供することができる。
【００５８】
以上、図面を参照して本発明の実施形態について詳述してきたが、具体的な構成はこの実施形態に限られるものではなく、本発明の要旨を逸脱しない範囲の設計変更等も含まれる。
【図面の簡単な説明】
【００５９】
【図１】本発明による赤外線照射式撮像装置の構成を示すブロック図である。
【図２】本実施形態による合成比率調整操作部の概要を示すグラフである。
【図３】低照度下の白色被写体を可視光撮像条件にて撮像した、標準ゲインに於ける撮像信号レベルの一例を示すグラフである。
【図４】図３で示した可視光撮像条件時の撮像信号レベルに対して増幅処理を施した一例を示すグラフである。
【図５】低照度下の白色被写体を赤外線照射撮像条件、明るさ優先モードにて撮像した撮像信号レベルの一例を示すグラフである。
【図６】図５で示された撮像信号が可視光成分撮像信号と赤外線成分撮像信号とに分離され、更にホワイトバランス撮像信号に基づいて色調整が施された一例を示すグラフである。
【図７】低照度下の白色被写体を赤外線照射撮像条件、色再現優先モードにて撮像した撮像信号レベルの一例を示すグラフである。
【図８】図７で示された撮像信号が可視光成分撮像信号と赤外線成分撮像信号とに分離され、更にホワイトバランス撮像信号に基づいて色調整が施された一例を示すグラフである。
【図９】低照度下の白色被写体を赤外線照射撮像条件、ＳＮ比優先モードにて撮像した撮像信号レベルの一例を示すグラフである。
【図１０】図９で示された撮像信号が可視光成分撮像信号と赤外線成分撮像信号とに分離され、更にホワイトバランス撮像信号に基づいて色調整が施された一例を示すグラフである。
【符号の説明】
【００６０】
１  赤外線発光ダイオード（赤外線照射手段）
２  レンズ（光学手段）
３  赤外線カットフィルタ
４  赤外線照射制御部（赤外線照射制御手段）
５  イメージセンサ（撮像手段）
６  ホワイトバランス処理部（ホワイトバランス処理手段）
７  赤外線成分分離部（赤外線成分分離手段）
８  可視光画像処理部（可視光画像処理手段）
９  赤外線画像処理部（赤外線画像処理手段）
１０  輝度画像合成器（輝度画像合成手段）
１１  合成比率調整操作部（合成比率操作手段）
１２  被写体
【図１】
2010161459.tif 000003
【図２】
2010161459.tif 000004
【図３】
2010161459.tif 000005
【図４】
2010161459.tif 000006
【図５】
2010161459.tif 000007
【図６】
2010161459.tif 000008
【図７】
2010161459.tif 000009
【図８】
2010161459.tif 000010
【図９】
2010161459.tif 000011
【図１０】
2010161459.tif 000012